(57)【要約】【課題】従来のギタースタンドに比べて極めて安価で使い易く、ギターの使用が終わったその場でギターを置くことができ、初心者等でも容易に用いることができる装着用ギタースタンドを提供する。【解決手段】ギターＰの胴部Ｐ１底面に接してギターＰを立設支持する載置盤体１を設ける。該載置盤体１に係止孔２を開穿し、ギターＰの胴部Ｐ１底面に設けられたエンドピンＰ２に係止する。該係止孔２をエンドピンＰ２に係止してスタンドを固定し、スタンドを装着したままギターを使用できるようにする。【選択図】図２
2005189718.tif 000002
【特許請求の範囲】
【請求項１】
ギターを立設した状態にて支持するスタンドにおいて、立設するギターの胴部底面又はスタンドのいずれか若しくは両方に、スタンドを固定する固定手段を設け、該固定手段でスタンドを装着したままギターを使用できるようにしたことを特徴とする装着用ギタースタンド。
【請求項２】
前記スタンドは、ギターの胴部底面に接してギターを立設支持する載置盤体が設けられ、該載置盤体に係止孔を開穿し、ギターの胴部底面に設けられたエンドピンに係止孔を係止してスタンドを固定する請求項１記載の装着用ギタースタンド。
【請求項３】
前記スタンドは、前記載置盤体から延長されて、胴部背面に係止する係止突起を有する請求項１又は２記載の装着用ギタースタンド。
【請求項４】
前記スタンドは、前記載置盤体とギターの胴部底面との間に介される弾性座部を有する請求項１乃至３いずれか記載の装着用ギタースタンド。
【請求項５】
前記固定手段は、スタンドに設けられ、ギターの胴部底面を前後で挟着する挟着固定手段とする請求項１記載の装着用ギタースタンド。
【請求項６】
前記固定手段は、ギターの胴部底面又はスタンドのいずれか若しくは両方に設けられ、ギターの胴部底面にスタンドを接着する接着固定手段とする請求項１記載の装着用ギタースタンド。
【発明の詳細な説明】
【技術分野】
【０００１】
本発明は、ギターの胴部底部に装着したままの状態でギターを使用できるようにした装着用ギタースタンドに関する。
【背景技術】
【０００２】
ギターを立て掛けて使用するギター用スタンドして、例えば、特許文献１乃至特許文献３に記載されたスタンドなどが提案されている。
【０００３】
特許文献１のギタースタンドは、平面コ字形のスタンドで、ギター胴部の背面を支持する部材とギター胴部の前面に係止するスタンド本体部材とで、ギター胴部の底を保持して立設するものである。
【０００４】
特許文献２のギタースタンドは、スタンドとギターとを一体にして移動可能にしたものである。特許文献２では、スタンドの台座にキャスターを設け、スタンドに保持したギターをスタンドごと移動できるようにしている。また、水平移動が困難な場所では、ギターをスタンドに紐で固定し、ギターごとスタンドを持ち上げるものである。
【０００５】
特許文献３のスタンドは、スタンドに支持するギターを、スタンドに付勢する手段を設けたもので、ギターをスタンドに固定して支持するものである。また、このスタンドでは、ギター胴部の外郭形状に対応してスタンドのベースを形成することで、ギターとスタンドとの一体化を図っている。
【特許文献１】登録実用新案第３００３９３３号公報
【特許文献２】登録実用新案第３０７０６０１号公報
【特許文献３】特表２０００−５００５８８号公報
【発明の開示】
【発明が解決しようとする課題】
【０００６】
前記引用文献に代表される従来のギタースタンドは、いずれもギターを使用しないときに立て掛けて使用するものである。その為、ギタースタンドを使用する者は、適当な場所にギタースタンドを設置し、この設置された位置でギターを立て掛けるものであった。ギター演奏者は、スタンドを設置した位置から離れたところで演奏し、演奏が終了すると、このスタンド位置までギターを運び、そこでギターをスタンドに立て掛けるといった一連の動作が必要になっていた。
【０００７】
一般に、高価なギターを所有している者やギターの扱いになれている者は、前述のようなギタースタンドを使用することが多い。ところが、初心者や、入門用のギターを所有している者など、ギターの扱いになれていない者ほど、ギタースタンドの利用が少なくなる傾向がある。これは、従来のギタースタンドの価格が高価なことや、ギターの扱いに不慣れな者は不使用時のギターの扱いにまで十分な気配りができないことなどが要因になっている。この結果、初心者ほど不使用時のギターの扱いに苦労をしているのが現実である。
【０００８】
しかも、スタンドを持たない初心者等にありがちな扱いは、不使用時のギターを壁などに立て掛けることである。このようにギターを立て掛けた場合、極めて不安定で倒れ易い状態になっており、ギターが倒れると簡単に破損する虞がある。
【０００９】
そこで本発明は、上述の課題を解消すべく創出されたもので、従来のギタースタンドに比べて極めて安価で使い易く、ギターの使用が終わったその場でギターを置くことができ、初心者等でも容易に用いることができる装着用ギタースタンドの提供を目的とするものである。
【課題を解決するための手段】
【００１０】
上術の課題を解決するため、本発明の第１の手段は、ギターＰを立設した状態にて支持するギタースタンドにおいて、立設するギターＰの胴部Ｐ１底面又はスタンドのいずれか若しくは両方に、スタンドを固定する固定手段を設け、該固定手段でスタンドを装着したままギターを使用できるようにしたことにある。
【００１１】
第２の手段のスタンドは、ギターＰの胴部Ｐ１底面に接してギターＰを立設支持する載置盤体１が設けられ、該載置盤体１に係止孔２を開穿し、ギターＰの胴部Ｐ１底面に設けられたエンドピンＰ２に係止孔２を係止してスタンドを固定するものである。
【００１２】
第３の手段は、スタンドに、前記載置盤体１から延長されて、胴部Ｐ１背面に係止する係止突起３を設けている。
【００１３】
第４の手段のスタンドは、前記載置盤体１とギターＰの胴部Ｐ１底面との間に介される弾性座部４を有するものである。
【００１４】
第５の手段において、固定手段は、スタンドに設けられ、ギターＰの胴部Ｐ１底面を前後で挟着する挟着固定手段とする。
【００１５】
第６の手段において、固定手段は、ギターＰの胴部Ｐ１底面又はスタンドのいずれか若しくは両方に設けられ、ギターＰの胴部Ｐ１底面にスタンドを接着する接着固定手段とすることを課題解消のための手段とする。
【発明の効果】
【００１６】
本発明スタンドによると、立設するギターＰの胴部Ｐ１底面又はスタンドのいずれか若しくは両方に、スタンドを固定する固定手段を設け、該固定手段でスタンドを装着したままギターを使用できるようにしているので、ギターの使用が終わったその場でギターを置くことができ、初心者等でも容易に用いることができる。
【００１７】
また、ギターＰの胴部Ｐ１底面に接してギターＰを立設支持する載置盤体１が設けられ、該載置盤体１に、ギターＰの胴部Ｐ１底面に設けられたエンドピンＰ２に係止する係止孔２を設けているので、スタンドの装着が容易であり、しかも、従来のギタースタンドに比べて極めて安価な提供が可能である。
【００１８】
更に、本発明スタンドは、前記載置盤体１から延長されて、胴部Ｐ１背面に係止する係止突起３を有しているので、ギターＰを安定支持することができる。
【００１９】
しかも、本発明スタンドは、前記載置盤体１とギターＰの胴部Ｐ１底面との間に介される弾性座部４を有しているので、ギターＰの胴部Ｐ１の形状が異なっても、この弾性座部４が胴部Ｐ１載置盤体１との密着性を担保することになり、対応性に優れたものになっている。
【００２０】
そして、前記固定手段は、スタンドに設けられ、ギターＰの胴部Ｐ１底面を前後で挟着する挟着固定手段とし、あるいは、ギターＰの胴部Ｐ１底面又はスタンドのいずれか若しくは両方に設けられ、ギターＰの胴部Ｐ１底面にスタンドを接着する接着固定手段とすることで、より多様なスタンドを提供することが可能になり、あらゆるタイプのギターＰに装着することが可能になる。
【００２１】
このように、本発明によると、従来のギタースタンドに比べて極めて安価で使い易く、何時、何処でもギターの使用が終わったその場でギターを置くことができ、初心者等でも容易に用いることができるなどといった極めて有益な効果を奏するものである。
【発明を実施するための最良の形態】
【００２２】
本発明に係るギタースタンドの最良の形態は、ギターＰの胴部Ｐ１底面に接してギターＰを立設支持する載置盤体１を設け、該載置盤体１に係止孔２を開穿し、ギターＰの胴部Ｐ１底面に設けられたエンドピンＰ２に係止孔２を係止してスタンドを固定し、ギターＰにスタンドを装着したままギターを使用できるようにしたことにより当初の目的を達成する。
【実施例】
【００２３】
次に、図面に基いて本発明の実施例を詳細に説明する。本発明の基本構成はは、ギターＰに装着したまま使用できるように構成したスタンドである。スタンドをギターＰの胴部Ｐ１に固定する手段は任意の手段が選択可能である。図示例の固定手段は、ギターＰの胴部Ｐ１底部に設けられたエンドピンＰ２を利用した固定手段を採用している（図４参照）。
【００２４】
すなわち、ギターＰの胴部Ｐ１底面に接してギターＰを立設支持する載置盤体１を設け、この載置盤体１に係止孔２を開穿し、エンドピンＰ２に係止するものである（図４参照）。図示の係止孔２は、エンドピンＰ２をスライド係止するもので、エンドピンＰ２の直径よりも大きい径を有する挿入孔２Ａと、該挿入孔２Ａから載置盤体１の中央部分に延長され、エンドピンＰ２の首部に係止するスライド長孔２Ｂとを連続形成している。
【００２５】
スライド長孔２Ｂの開口縁には、長手方向に沿って複数の凹凸部２Ｃを設け、スライド長孔２Ｂによるスライド操作を容易にすると共に、エンドピンＰ２を確実に係止できるようにしている（図５参照）。図示のスライド長孔２Ｂは、ギターＰを肩に掛けるストラップ（図示せず）に代えて載置盤体１を係止するものであるが、エンドピンＰ２を長いタイプのエンドピンＰ２に交換することで、ストラップと載置盤体１とを同時に係止することも可能になる。また、スライド長孔２Ｂの凹凸部２Ｃは、細かく多数形成しているが、凹凸部２Ｃの形状やサイズは任意に変更できる。
【００２６】
載置盤体１は、ギターＰの胴部Ｐ１底面に接する装着面１Ａと、平坦な場所に載置する載置面１Ｂとを有している（図６参照）。装着面１Ａは載置面１Ｂに対して僅かに傾斜した状態に形成する。この傾斜角度は、ギターＰを立設支持した際に最も安定したバランスにギターＰを保つように設定されている。図示例では、載置面１Ｂの仰角を7.5度に設定している。
【００２７】
また、載置盤体１のサイズは、ギターＰを支持できる範囲において、できるだけ小さく設けることで、ギターＰに載置盤体１を装着したまま、ギターＰを使用することを可能にしている（図４参照）。図示の載置盤体１は、一辺が、胴部Ｐ１における底部の前後面の間隔とほぼ同程度の長さを有する略矩形状を成している。したがって、一般のギターＰでは、載置盤体１の一辺を１０〜１２ｃｍ程度に設定するのが好ましい。また、胴部Ｐ１の前面側に載置盤体１が大きく表出しないようにすることで、載置盤体１を装着したままギターＰを使用しても違和感はなく、載置盤体１に装飾を凝らして一種のアクセサリーとして使用することも可能である（図１、図２参照）。
【００２８】
この載置盤体１に、胴部Ｐ１背面に係止する係止突起３を設けることで、より安定した支持が可能になる（図２、３参照）。図示の係止突起３は、合成樹脂材にて載置盤体１と一体に成形されている。このように成形することで、載置盤体１や係止突起３が、ギターＰの使用に支承を来たさない重量やサイズとなり、本発明スタンドをギターＰに装着したままでギターＰを使用することが可能になる。
【００２９】
そして、この係止突起３に隣接する載置盤体１の上面に弾性座部４を設けている（図５参照）。この弾性座部４は、載置盤体１とギターＰの胴部Ｐ１底面との間に介される部材で、ギターＰに対する載置盤体１の密着性を高めることで、よりバランス良く支持することができる。また、載置盤体１を装着する胴部Ｐ１の湾曲形状が、各ギターＰによって微妙に異なっているが、この弾性座部４により、常に安定した支持が可能になる。尚、弾性座部４の採用は任意に選択できるものである。
【００３０】
載置盤体１をギターＰに装着する際の固定手段として、前記係止手段の他、例えば挟着手段や接着手段などがある。
【００３１】
挟着手段は、例えば、ギターＰの胴部Ｐ１底面を前後で挟着する挟着体５をスタンドに設けることにある（図７参照）。図示の挟着体５は、載置盤体１の係止突起３と挟着体５とでギターＰの胴部Ｐ１を挟着するもので、この挟着体５と係止突起３との間隔を調整自在に設けている。このように胴部Ｐ１を前後面から挟着する固定手段によると、特にエンドピンＰ２を設けていないギターＰに本発明スタンドを装着することも可能になる。
【００３２】
また、固定手段として接着手段を採用することも可能である。この接着手段は、例えばギターＰと載置盤体１とに夫々面ファスナー（図示せず）を設けておき、載置盤体１を着脱自在に接着する。また、両面テープの如き接着テープを用いて載置盤体１を胴部Ｐ１に接着することも可能である。このように、本発明スタンドの固定手段は、図示例に限定されるものではなく、ギターＰの使用に支承を来たさないサイズや重量に形成したスタンドを装着する固定手段であれば自由に選択できるものとする。
【００３３】
尚、本発明は前記実施例に限定されることなく、本発明の要旨を逸脱しない範囲内における材料の置換や設計変更等は自由に行えるものである。
【図面の簡単な説明】
【００３４】
【図１】本発明の一実施例を示す使用斜視図である。
【図２】本発明の一実施例を示す使用側面図である。
【図３】本発明の一実施例を示す使用背面図である。
【図４】本発明の一実施例を示す使用底面図である。
【図５】本発明の一実施例を示す平面図である。
【図６】本発明の一実施例を示す側面図である。
【図７】本発明の他の実施例を示す斜視図である。
【符号の説明】
【００３５】
Ｐ  ギター          Ｐ１  胴部
Ｐ２  エンドピン
１  載置盤体        １Ａ  装着面
１Ｂ  載置面
２  係止孔          ２Ａ  挿入孔
２Ｂ  スライド長孔
２Ｃ  凹凸部
３  係止突起
４  弾性座部
５  挟着体
【図１】
2005189718.tif 000003
【図２】
2005189718.tif 000004
【図３】
2005189718.tif 000005
【図４】
2005189718.tif 000006
【図５】
2005189718.tif 000007
【図６】
2005189718.tif 000008
【図７】
2005189718.tif 000009